(57)【要約】  映像信号の入力階調値に対して実際に得られる輝度測定値が輝度理想値から外れることによって生じる色温度の変化を補正する色温度補正装置及び該色温度補正装置を備えたディスプレイ装置を提供することを課題とする。  色温度補正装置は、映像信号のＲＧＢについて輝度を複数段階の階調によって表現するディスプレイ装置において、前記映像信号の色温度を補正する色温度補正装置であって、映像信号の入力階調値について、色温度を一定に保つために、ＲＧＢそれぞれの設定階調値への階調値変換テーブルを記憶する記録手段と、前記階調値変換テーブルに基づいて、前記入力階調値から設定階調値に変換する階調値変換部とを備える。
2007136060.tif 000002
【特許請求の範囲】
【請求項１】
映像信号のＲＧＢについて輝度を複数段階の階調によって表現するディスプレイ装置において、前記映像信号の色温度を補正する色温度補正装置であって、
映像信号の入力階調値について、色温度を一定に保つために、ＲＧＢそれぞれの設定階調値への階調値変換テーブルを記憶する記録手段と、
前記階調値変換テーブルに基づいて、前記入力階調値から設定階調値に変換する階調値変換部と
を備えることを特徴とする色温度補正装置。
【請求項２】
前記階調値変換テーブルは、
映像信号の入力階調値について、色温度を一定に保つためのＲＧＢそれぞれの輝度理想値との関係を示す第１階調値変換テーブルと、
前記輝度理想値が得られる設定階調値との関係を示す第２階調値変換テーブルと
を含むことを特徴とする請求項１に記載の色温度補正装置。
【請求項３】
前記階調値変換テーブルは、駆動モードごとの入力階調値から設定階調値への対応を備え、
前記階調値変換部は、前記階調値変換テーブルに基づいて、選択された駆動モードに応じて、前記入力階調値から設定階調値に変換することを特徴とする請求項１に記載の色温度補正装置。
【請求項４】
ガンマ補正された映像信号に対して逆ガンマ補正を行う逆ガンマ補正手段と、
前記逆ガンマ補正された映像信号の色温度を補正する、請求項１に記載の色温度補正装置と、
前記色温度補正された映像信号の平均輝度を検出する平均輝度検出手段と、
検出された平均輝度に基づいて駆動モードを選択し乗算係数を出力する駆動モード選択手段と、
出力された乗算係数を前記色温度補正された映像信号の設定階調値に乗算して、前記駆動モードによる輝度差を補正した設定階調値を出力する乗算器と、
前記設定階調値と設定された駆動モードとに基づいてサブフィールド条件を設定するサブフィールド変換手段と、
ディスプレイパネルと、
設定されたサブフィールド条件に基づいて前記ディスプレイパネルの走査・維持・消去を制御する走査・維持・消去駆動回路と、
前記ディスプレイパネルのデータ駆動回路と
を備えることを特徴とするディスプレイ装置。
【請求項５】
ガンマ補正された映像信号に対して逆ガンマ補正を行う逆ガンマ補正手段と、
前記逆ガンマ補正された映像信号の平均輝度を検出する平均輝度検出手段と、
検出された平均輝度に基づいて駆動モードを選択し乗算係数を出力する駆動モード選択手段と、
前記選択された駆動モードに基づいて、前記映像信号の色温度を補正する、請求項３に記載の色温度補正装置と、
出力された乗算係数を前記色温度補正された映像信号の設定階調値に乗算して前記駆動モードによる輝度差を補正した設定階調値を出力する乗算器と、
前記設定階調値と設定された駆動モードとに基づいてサブフィールド条件を設定するサブフィールド変換手段と、
ディスプレイパネルと、
設定されたサブフィールド条件に基づいて前記ディスプレイパネルの走査・維持・消去を制御する走査・維持・消去駆動回路と、
前記ディスプレイパネルのデータ駆動回路と
を備えることを特徴とするディスプレイ装置。
【請求項６】
映像信号のＲＧＢについて輝度を複数段階の階調によって表現するディスプレイ装置において、前記映像信号の色温度を補正する色温度補正装置であって、
映像信号の入力階調値に、選択された駆動モードの駆動倍数を乗算して入力発光パルス数を出力する乗算器と、
前記入力発光パルス数について、色温度を一定に保つように、白色となるＲＧＢそれぞれの設定発光パルス数への発光パルス数変換テーブルを記録する記憶手段と、
前記発光パルス数変換テーブルに基づいて、前記映像信号の入力発光パルス数からＲＧＢそれぞれの設定発光パルス数に変換する発光パルス数変換部と、
前記設定発光パルス数を、前記駆動倍数で除算して設定階調値を出力する除算器と
を備えたことを特徴とする色温度補正装置。
【請求項７】
前記発光パルス数変換テーブルは、
映像信号の入力発光パルス数について、色温度を一定に保つように、白色となるＲＧＢそれぞれの輝度理想値との関係を示す第１発光パルス数変換テーブルと、
前記輝度理想値が得られる設定発光パルス数との関係を示す第２発光パルス数変換テーブルと
を含むことを特徴とする請求項６に記載の色温度補正装置。
【請求項８】
ガンマ補正された映像信号に対して逆ガンマ補正を行う逆ガンマ補正手段と、
前記逆ガンマ補正された映像信号の平均輝度を検出する平均輝度検出手段と、
検出された平均輝度に基づいて駆動モードを選択し乗算係数を出力する駆動モード選択手段と、
出力された乗算係数を前記映像信号の入力階調値に乗算して前記駆動モードによる輝度差を補正した入力階調値を出力する乗算器と、
前記入力階調値に前記駆動モードの駆動倍数を乗算して入力発光パルス数を算出し、前記入力発光パルス数について、色温度を一定に保つように、設定発光パルス数に変換して色温度補正し、前記設定発光パルス数を前記駆動倍数で除算して設定階調値を出力する、請求項６に記載の色温度補正装置と、
前記設定階調値と設定された駆動モードとに基づいてサブフィールド条件を設定するサブフィールド変換手段と、
ディスプレイパネルと、
設定されたサブフィールド条件に基づいて前記ディスプレイパネルの走査・維持・消去を制御する走査・維持・消去駆動回路と、
前記ディスプレイパネルのデータ駆動回路と
を備えることを特徴とするディスプレイ装置。
【発明の詳細な説明】
【技術分野】
【０００１】
本発明は、ディスプレイパネルの色温度補正を行う色温度補正装置及び該色温度補正装置を備えたディスプレイ装置に関する。
【背景技術】
【０００２】
薄型化・大型化が可能なプラズマディスプレイパネル（ＰＤＰ）を用いたプラズマディスプレイパネル装置が広く知られている。このプラズマディスプレイパネル装置では、画素を構成する放電セルからの発光を利用することにより画像を表示している。さらに詳細に説明すると、放電セルを構成する電極間に駆動回路によって高電圧の駆動パルスを印加して、放電セルを発光させ、各画素の発光によって画像を表示している。【０００３】
ここで、輝度の高い画像を表示する場合には、プラズマディスプレイパネル装置では、走査駆動回路及び維持駆動回路によりスキャン電極、維持電極に多数の維持パルスが印加され、ＰＤＰの充放電回数が増加するため、走査駆動回路及び維持駆動回路の消費電力が増大する。【０００４】
これに対して、プラズマディスプレイパネルの消費電力に基づいて、サブフィールド内の維持電圧を出力する維持期間に含まれる維持パルス数の重み付け倍数Ｎ（駆動倍数）を小さくすることにより、消費電力の増大を抑制している（例えば、特許文献１参照。）。【０００５】
【特許文献１】特許第２９９４６３０号
【発明の開示】
【発明が解決しようとする課題】
【０００６】
しかし、映像信号のＲＧＢそれぞれについて、入力階調値によって実際に得られる輝度測定値は、入力階調値で目標とする輝度理想値とは異なっており、その結果、映像信号によって本来表現するべき色温度が異なってしまう場合がある。【０００７】
そこで、本発明の目的は、映像信号の入力階調値に対して実際に得られる輝度測定値が輝度理想値から外れることによって生じる色温度の変化を補正する色温度補正装置及び該色温度補正装置を備えたディスプレイ装置を提供することである。
【課題を解決するための手段】
【０００８】
本発明に係る色温度補正装置は、映像信号のＲＧＢについて輝度を複数段階の階調によって表現するディスプレイ装置において、前記映像信号の色温度を補正する色温度補正装置であって、
映像信号の入力階調値について、色温度を一定に保つために、ＲＧＢそれぞれの設定階調値への階調値変換テーブルを記憶する記録手段と、
前記階調値変換テーブルに基づいて、前記入力階調値から設定階調値に変換する階調値変換部と
を備えることを特徴とする。【０００９】
また、前記階調値変換テーブルは、
映像信号の入力階調値について、色温度を一定に保つためのＲＧＢそれぞれの輝度理想値との関係を示す第１階調値変換テーブルと、
前記輝度理想値が得られる設定階調値との関係を示す第２階調値変換テーブルと
を含んでもよい。【００１０】
さらに、前記階調値変換テーブルは、駆動モードごとの入力階調値から設定階調値への対応を備えてもよい。この場合には、前記階調値変換部は、前記階調値変換テーブルに基づいて、選択された駆動モードに応じて、前記入力階調値から設定階調値に変換することができる。【００１１】
本発明に係るディスプレイ装置は、ガンマ補正された映像信号に対して逆ガンマ補正を行う逆ガンマ補正手段と、
前記逆ガンマ補正された映像信号の色温度を補正する、上記色温度補正装置と、
前記色温度補正された映像信号の平均輝度を検出する平均輝度検出手段と、
検出された平均輝度に基づいて駆動モードを選択し乗算係数を出力する駆動モード選択手段と、
出力された乗算係数を前記色温度補正された映像信号の設定階調値に乗算して前記駆動モードによる輝度差を補正した設定階調値を出力する乗算器と、
前記設定階調値と設定された駆動モードとに基づいてサブフィールド条件を設定するサブフィールド変換手段と、
ディスプレイパネルと、
設定されたサブフィールド条件に基づいて前記ディスプレイパネルの走査・維持・消去を制御する走査・維持・消去駆動回路と、
前記ディスプレイパネルのデータ駆動回路と
を備えることを特徴とする。【００１２】
また、本発明に係るディスプレイ装置は、ガンマ補正された映像信号に対して逆ガンマ補正を行う逆ガンマ補正手段と、
前記逆ガンマ補正された映像信号の平均輝度を検出する平均輝度検出手段と、
検出された平均輝度に基づいて駆動モードを選択し乗算係数を出力する駆動モード選択手段と、
前記選択された駆動モードに基づいて、前記映像信号の色温度を補正する、上記色温度補正装置と、
出力された乗算係数を前記色温度補正された映像信号の設定階調値に乗算して前記駆動モードによる輝度差を補正した設定階調値を出力する乗算器と、
前記設定階調値と設定された駆動モードとに基づいてサブフィールド条件を設定するサブフィールド変換手段と、
ディスプレイパネルと、
設定されたサブフィールド条件に基づいて前記ディスプレイパネルの走査・維持・消去を制御する走査・維持・消去駆動回路と、
前記ディスプレイパネルのデータ駆動回路と
を備えることを特徴とする。【００１３】
さらに、本発明に係る色温度補正手段は、映像信号のＲＧＢについて輝度を複数段階の階調によって表現するディスプレイ装置において、前記映像信号の色温度を補正する色温度補正装置であって、
映像信号の入力階調値に、選択された駆動モードの駆動倍数を乗算して入力発光パルス数を出力する乗算器と、
前記入力発光パルス数について、色温度を一定に保つように、白色となるＲＧＢそれぞれの設定発光パルス数への発光パルス数変換テーブルを記録する記憶手段と、
前記発光パルス数変換テーブルに基づいて、前記映像信号の入力発光パルス数からＲＧＢそれぞれの設定発光パルス数に変換する発光パルス数変換部と、
前記設定発光パルス数を、前記駆動倍数で除算して設定階調値を出力する除算器と
を備えたことを特徴とする。【００１４】
また、前記発光パルス数変換テーブルは、
映像信号の入力発光パルス数について、色温度を一定に保つように、白色となるＲＧＢそれぞれの輝度理想値との関係を示す第１発光パルス数変換テーブルと、
前記輝度理想値が得られる設定発光パルス数との関係を示す第２発光パルス数変換テーブルと
を含んでもよい。【００１５】
本発明に係るディスプレイ装置は、ガンマ補正された映像信号に対して逆ガンマ補正を行う逆ガンマ補正手段と、
前記逆ガンマ補正された映像信号の平均輝度を検出する平均輝度検出手段と、
検出された平均輝度に基づいて駆動モードを選択し乗算係数を出力する駆動モード選択手段と、
出力された乗算係数を前記映像信号の入力階調値に乗算して前記駆動モードによる輝度差を補正した入力階調値を出力する乗算器と、
前記入力階調値に前記駆動モードの駆動倍数を乗算して入力発光パルス数を算出し、前記入力発光パルス数について、色温度を一定に保つように、設定発光パルス数に変換して色温度補正し、前記設定発光パルス数を前記駆動倍数で除算して設定階調値を出力する、上記色温度補正装置と、
前記設定階調値と設定された駆動モードとに基づいてサブフィールド条件を設定するサブフィールド変換手段と、
ディスプレイパネルと、
設定されたサブフィールド条件に基づいて前記ディスプレイパネルの走査・維持・消去を制御する走査・維持・消去駆動回路と、
前記ディスプレイパネルのデータ駆動回路と
を備えることを特徴とする。
【発明の効果】
【００１６】
本発明に係る色温度補正装置によれば、入力階調値について、色温度を一定に保つように映像信号の色温度補正をすることができる。
【図面の簡単な説明】
【００１７】
【図１】本発明の実施の形態１に係る色温度補正装置の構成を示すブロック図である。
【図２】本発明の実施の形態１に係る色温度補正方法における階調値変換の方法について説明する概略図である。
【図３】入力階調値と設定階調値の変換テーブルを示す図である。
【図４】本発明の実施の形態１に係る色温度補正方法のフローチャートである。
【図５】本発明の実施の形態１に係るプラズマディスプレイ装置の構成を示すブロック図である。
【図６】本発明の実施の形態２に係る色温度補正装置の構成を示すブロック図である。
【図７】緑色（Ｇ）について、駆動モード（１倍〜６倍）ごとの階調値と輝度測定値との関係を示す図である。
【図８】本発明の実施の形態２に係る色温度補正方法のフローチャートである。
【図９】本発明の実施の形態２に係るプラズマディスプレイ装置の構成を示すブロック図である。
【図１０】本発明の実施の形態３に係る色温度補正装置の構成を示すブロック図である。
【図１１】駆動モード１倍の場合の発光パルス数と輝度測定値との関係を示す図である。
【図１２】駆動モード２倍の場合の発光パルス数と輝度測定値との関係を示す図である。
【図１３】駆動モード３倍の場合の発光パルス数と輝度測定値との関係を示す図である。
【図１４】駆動モード４倍の場合の発光パルス数と輝度測定値との関係を示す図である。
【図１５】駆動モード５倍の場合の発光パルス数と輝度測定値との関係を示す図である。
【図１６】駆動モード６倍の場合の発光パルス数と輝度測定値との関係を示す図である。
【図１７】本発明の実施の形態３に係る色温度補正装置における全ての駆動モードについての発光パルス数と輝度測定値との関係を示す図である。
【図１８】本発明の実施の形態３に係る色温度補正装置における発光パルス数変換の方法について説明する図である。
【図１９】入力発光パルス数と設定発光パルス数の変換テーブルを示す図である。
【図２０】本発明の実施の形態３に係る色温度補正方法のフローチャートである。
【図２１】本発明の実施の形態３に係るプラズマディスプレイ装置の構成を示すブロック図である。
【符号の説明】
【００１８】
２  階調値変換部
４  記憶手段
６、６ａ、６ｂ、６ｆ  階調値変換テーブル
１０、１０ａ、４０  色温度補正装置
１２  逆ガンマ補正手段、
１４  平均輝度検出手段、
１６  駆動モード選択手段、
１８  乗算器、
２２  サブフィールド変換手段、
２４  プラズマディスプレイパネル、
２６  走査・維持・消去駆動回路、
２８  データ駆動回路
３０、３０ａ、５０  プラズマディスプレイ装置
３２  発光パルス数変換手段
３４  記憶手段
３６  発光パルス数変換テーブル
３８  乗算器
３９  除算器
【発明を実施するための最良の形態】
【００１９】
本発明の実施の形態に係る色温度補正装置及び該色温度補正装置を備えたプラズマディスプレイ装置について、添付図面を用いて詳細に説明する。なお、図面において実質的に同一の部材には同一の符号を付している。【００２０】
（実施の形態１）
本発明の実施の形態１に係る色温度補正装置１０について、図１のブロック図を用いて説明する。この色温度補正装置１０は、映像信号の入力階調値について、色温度を一定に保つために、白色となるＲＧＢそれぞれの設定階調値への階調値変換テーブル６を記憶する記録手段４と、上記階調値変換テーブル６に基づいて、入力階調値から設定階調値に変換する階調値変換部２とを備える。この色温度補正装置１０によれば、ディスプレイ装置の特性に応じてあらかじめ用意された階調値変換テーブル６を用いて入力階調値を設定階調値に変換することによって色温度を一定に保つことができる。【００２１】
この色温度補正装置１０によって行う色温度補正方法について、図２及び図３と、図４のフローチャートとを用いて説明する。
ａ）映像信号の入力階調値を受け付ける（Ｓ０１）。
ｂ）図２に示すように、映像信号の入力階調値について、あらかじめ色温度を一定に保つように、白色となるＲＧＢのそれぞれの輝度理想値が設定されている。この入力階調値に対する輝度理想値の関係が第１階調値変換テーブル（図２：一点鎖線）として表される。そこで、この第１階調値変換テーブルに基づいて、入力階調値に対して、白色となるＲＧＢのそれぞれの輝度理想値を求める（Ｓ０２）。例えば、図２の場合、入力階調値２３０の映像信号が入力された場合、赤色（Ｒ）の輝度理想値は１０５である（図２：手順（ｉ））。なお、緑色（Ｇ）及び青色（Ｂ）についてもそれぞれ同様に輝度理想値が得られるが、その詳細については省略する。
ｃ）次に、図２に示すように、階調値に対して、実際に得られる輝度測定値との関係は、第２階調値変換テーブル（図２：実線）によって表される。そこで、この第２階調値変換テーブルに基づいて、ＲＧＢのそれぞれの輝度理想値が得られる設定階調値を求める（Ｓ０３）。また、図２の場合には、輝度理想値１０５を出力するため、設定階調値２２０が得られる（図２：手順（ｉｉ））。なお、緑色（Ｇ）及び青色（Ｂ）についてもそれぞれ同様に設定階調値が得られるが、その詳細については省略する。
以上によって、入力階調値について、色温度を一定に保つように、白色となるＲＧＢのそれぞれの設定階調値が得られる。上記の例では、入力階調値２３０は設定階調値２２０に変換される。なお、入力階調値について、色温度を一定に保つような白色となるＲＧＢのそれぞれの設定階調値の関係は、図３に示すように階調値変換テーブルとして表される。この階調値変換テーブル（図３）は、上記第１階調値変換テーブル（図２：一点鎖線）と第２階調値変換テーブル（図２：実線）とを組み合わせたものとして表すことができる。【００２２】
本発明の実施の形態１に係るプラズマディスプレイ装置３０の構成について、図５を用いて説明する。このプラズマディスプレイ装置３０は、ガンマ補正された映像信号に対して逆ガンマ補正を行う逆ガンマ補正手段１２と、逆ガンマ補正手段で逆ガンマ補正された映像信号の入力階調値について、色温度を一定に保つように、白色となるＲＧＢそれぞれの設定階調値に変換して色温度補正する色温度補正装置１０と、色温度補正がなされた映像信号の平均輝度を検出する平均輝度検出手段１４と、検出された平均輝度から駆動モード（駆動倍数）を選択し、駆動モードに応じて乗算係数を出力する駆動モード選択手段１６と、出力された乗算係数を色温度補正がなされた映像信号に乗算して駆動モードによる輝度差を補正した階調値を出力する乗算器１８と、設定された駆動モードの情報に基づいてサブフィールドの設定（駆動倍数、サブフィールド数等）を行うサブフィールド変換手段２２と、映像を表示するためのプラズマディスプレイパネル（ＰＤＰ）２４と、サブフィールドに関する設定値に基づいて、走査、維持、消去の制御を行う走査・維持・消去駆動回路２６と、データ駆動回路２８と、により構成されている。このプラズマディスプレイ装置３０は、上述の色温度補正装置１０を有することを特徴とする。このプラズマディスプレイ装置３０は、色温度補正装置１０を備えているので、色温度を一定に保つように色温度補正を行うことができる。【００２３】
（実施の形態２）
本発明の実施の形態２に係る色温度補正装置１０ａについて、図６のブロック図を用いて説明する。実施の形態２に係る色温度補正装置１０ａは、実施の形態１に係る色温度補正装置と比較すると、複数の駆動モードごとの階調値変換テーブル６ａ、６ｂ、・・・６ｆを有する点で相違する。このように駆動モードごとに複数の階調値変換テーブル６ａ、６ｂ、・・・６ｆを有するので、選択した駆動モードに対応する階調値変換テーブルに基づいて適切に入力階調値から設定階調値への変換を行うことができる。【００２４】
次に、この色温度補正装置１０ａの特徴について図７を用いて説明する。図７は、緑色（Ｇ）について、駆動モード１倍〜６倍のそれぞれにおける階調値と輝度測定値との関係を示す図である。上述の実施の形態１に係る色温度補正装置においては、入力階調値について特定の駆動モードについての１つの階調値変換テーブルのみを有している。しかし、現在のプラズマディスプレイパネルでは、平均輝度に応じて様々な駆動モード（駆動倍数）が用いられている。例えば、１倍から６倍までの整数倍の場合、あるいは、０．９倍、１．１倍、１．３倍等の小数点以下を含む駆動倍数の駆動モードが用いられる。この場合、図７に示すように、駆動モードが変わると、同じ入力階調値に対して輝度理想値は異なっており、しかもその輝度理想値の変化は駆動モードの倍数に比例しているわけではない。そのため、特定の駆動モードについて色温度補正を行ったとしても、その後、特定の駆動モードとは異なる駆動モードが設定された場合には色温度が変化してしまう。そのため、色温度補正のためには、選択された駆動モードに応じた入力階調値から設定階調値への変換を行うことが必要になる。この場合、入力階調値−設定階調値の階調値変換テーブルは、駆動モードごとにそれぞれ異なっており、それぞれの階調値変換テーブルは、駆動モードの倍数について比例しているわけではない。そこで、この実施の形態２に係る色温度補正装置１０ａでは、駆動モードごとに複数の階調値変換テーブル６ａ、６ｂ、・・・６ｆを有する。これによって、選択した駆動モードに対応する階調値変換テーブルに基づいて適切に入力階調値から設定階調値への変換を行うことができる。【００２５】
この色温度補正装置１０ａによって行う色温度補正方法について、図８のフローチャートを用いて説明する。
ａ）映像信号の入力階調値と、選択された駆動モードとを受け付ける（Ｓ１１）。
ｂ）駆動モードごとに、映像信号の入力階調値について、あらかじめ色温度を一定に保つように、白色となるＲＧＢのそれぞれの輝度理想値が設定されている。この入力階調値に対する輝度理想値の関係が第１階調値変換テーブルとして表される。そこで、選択された駆動モードに対応する第１階調値変換テーブルに基づいて、入力階調値に対して、白色となるＲＧＢのそれぞれの輝度理想値を求める（Ｓ１２）。
ｃ）次に、駆動モードごとに、階調値に対する輝度測定値との関係を示す第２階調値変換テーブルによって表される。そこで、選択された駆動モードに対応する第２階調値変換テーブルに基づいて、ＲＧＢのそれぞれの輝度理想値が得られる設定階調値を求める（Ｓ１３）。
以上によって、選択された駆動モードに基づいて、入力階調値について、色温度を一定に保つように、白色となるＲＧＢのそれぞれの設定階調値が得られる。【００２６】
本発明の実施の形態２に係るプラズマディスプレイ装置３０ａの構成について、図９を用いて説明する。このプラズマディスプレイ装置３０ａは、実施の形態１に係るプラズマディスプレイ装置と比較すると、色温度補正装置３０ａへの入力前に平均輝度検出手段１４で映像信号の平均輝度を検出し、平均輝度に基づいて駆動モード選択手段１６で駆動モードを選択し、色温度補正装置１０ａが駆動モード選択手段１６で選択された駆動モードの入力を受け付ける点で相違する。このプラズマディスプレイ装置３０ａによれば、選択した駆動モードに対応する階調値変換テーブルに基づいて入力階調値から設定階調値に変換できるので、様々な駆動モードが選択された場合であっても色温度を一定に保つことができる。【００２７】
（実施の形態３）
本発明の実施の形態３に係る色温度補正装置４０は、実施の形態１及び２に係る色温度補正装置と比較すると、映像信号の入力階調値ではなく、選択された駆動モードの駆動倍数を入力階調値に乗算して得られる入力発光パルス数について、色温度を一定に保つように、設定発光パルス数に変換する点で相違する。この色温度補正装置４０は、図１０に示すように、映像信号の入力階調値に、選択された駆動モードの駆動倍数を乗算して入力発光パルス数を出力する乗算器３８と、入力発光パルス数について、色温度を一定に保つように、設定発光パルス数に変換する発光パルス数変換部３２と、入力発光パルス数について、色温度を一定に保つための白色となるＲＧＢそれぞれの設定発光パルス数との関係を示す発光パルス数変換テーブル３６を記録する記憶部３４と、設定発光パルス数を上記駆動倍数で除算して設定階調値を出力する除算器３９とを備える。この色温度補正装置によれば、入力階調値そのものではなく、この入力階調値に駆動倍数を乗算して得られた入力発光パルス数について、入力発光パルス数から設定発光パルス数への単一の変換テーブルを用いて、色温度を一定に保つように入力発光パルス数から設定発光パルス数への変換を行う。そのため、駆動モードの違いによる影響を受けることなく色温度補正を行うことができる。そこで、駆動モードごとの変換テーブルを必要とせず、記憶手段３４における記憶容量を増やすことなく、全ての駆動パターンに応じた色温度補正を行うことができる。【００２８】
この色温度補正装置４０では、階調値ではなく発光パルス数について色温度補正を行うことを特徴とする。以下に、発光パルス数について色温度補正することの効果について図１１から図１７を用いて説明する。図１１から図１６は、駆動モード１倍から駆動モード６倍のそれぞれぞれの場合について、発光パルス数と輝度測定値との関係を示す図である。発光パルス数は、映像信号の階調値をどれだけの数の発光パルスによって表現するかを示す発光パルスの数を表すものであって、階調値に駆動モードの駆動倍数を乗算して算出される。図１１から図１６に示されるように、駆動倍数が増えるにつれて発光パルス数は増加し、それに伴って輝度測定値も高くなることがわかる。図１７は、駆動モード１倍から駆動モード６倍までの全ての駆動モードについて、発光パルス数と輝度測定値との関係を重ねて示したものである。図１７に示されるように、発光パルス数と輝度測定値との関係は、駆動モードによらずほぼ同一の曲線上にのることがわかる。したがって、発光パルス数について色温度を一定に保つように変換すれば、選択された駆動モードによる影響を受けないで色温度補正を行うことができる。【００２９】
この色温度補正装置４０によって行う色温度補正方法について、図１８及び図１９と、図２０のフローチャートを用いて説明する。
ａ）映像信号の入力階調値を受け付ける（Ｓ２１）。
ｂ）乗算器３８によって、選択された駆動モードの駆動倍数を入力階調値に乗算して入力発光パルス数を出力する（Ｓ２２）。
ｃ）図１８に示すように、映像信号の入力発光パルス数について、あらかじめ色温度を一定に保つために、白色となるＲＧＢのそれぞれの輝度理想値が設定されている。この入力階調値に対する輝度理想値の関係が図１８では第１発光パルス数変換テーブル（図１８：一点鎖線）として表される。そこで、この第１発光パルス数変換テーブルに基づいて、入力発光パルス数に対して、白色となるＲＧＢのそれぞれの輝度理想値を求める（Ｓ２３）。例えば、図１８の場合には、入力発光パルス数１３７０について、赤色（Ｒ）の輝度理想値は１８０となる（図１８：手順（ａ））。なお、緑色（Ｇ）及び青色（Ｂ）についてもそれぞれ同様に輝度理想値が得られるが、その詳細については省略する。
ｄ）また、発光パルス数に対して、実際に得られる輝度測定値との関係は、第２発光パルス数変換テーブル（図１８：実線）によって表される。そこで、この第２発光パルス数変換テーブルに基づいて、ＲＧＢのそれぞれの輝度理想値が得られる設定発光パルス数を求める（Ｓ２４）。例えば、図１８の場合には、輝度理想値１８０を出力する赤色（Ｒ）の発光パルス数として、設定発光パルス数１２７５が得られる（図１８：手順（ｂ））。なお、緑色（Ｇ）及び青色（Ｂ）についてもそれぞれ同様に設定発光パルス数が得られるが、その詳細については省略する。
ｅ）除算器３９によって、設定発光パルス数を上記駆動倍数で除算して設定階調値を出力する（Ｓ２５）。
以上のようにして、映像信号の入力発光パルス数について、色温度を一定に保つように白色となるＲＧＢのそれぞれについて設定発光パルス数に変換することができる。上記の例では、入力発光パルス数１３７０は設定発光パルス数１２７５に変換される。なお、入力発光パルス数について、色温度を一定に保つような白色となるＲＧＢのそれぞれの設定階調値の関係は、図１９に示すように発光パルス数変換テーブルとして表される。この発光パルス数変換テーブルは、上記第１発光パルス数変換テーブルと第２発光パルス数変換テーブルとを組み合わせたものとして表すことができる。【００３０】
本発明の実施の形態３に係るプラズマディスプレイパネル装置５０について、図２１のブロック図を用いて説明する。実施の形態３に係るプラズマディスプレイパネル装置５０は、実施の形態１及び実施の形態２に係るディスプレイ装置と比較すると、乗算器１８による駆動モードに応じた輝度差の補正後の出力を受けるように上記色温度補正装置４０が接続されている点で相違する。また、この上記色温度補正装置４０では、階調値ではなく発光パルス数について色温度補正を行う点で相違する。そのため、選択された駆動モードによらず色温度を一定に保つように色温度補正を行うことができる。また、駆動モードごとの変換テーブルを用意する必要がないので、色温度補正装置４０内の記憶手段３４における記憶容量を増やすことなく、全ての駆動パターンに応じた色温度補正を行うことができる。
【産業上の利用可能性】
【００３１】
本発明に係る色温度補正装置及びディスプレイ装置は、特にプラズマディスプレイ装置に利用可能である。
【図１】
2007136060.tif 000003
【図２】
2007136060.tif 000004
【図３】
2007136060.tif 000005
【図４】
2007136060.tif 000006
【図５】
2007136060.tif 000007
【図６】
2007136060.tif 000008
【図７】
2007136060.tif 000009
【図８】
2007136060.tif 000010
【図９】
2007136060.tif 000011
【図１０】
2007136060.tif 000012
【図１１】
2007136060.tif 000013
【図１２】
2007136060.tif 000014
【図１３】
2007136060.tif 000015
【図１４】
2007136060.tif 000016
【図１５】
2007136060.tif 000017
【図１６】
2007136060.tif 000018
【図１７】
2007136060.tif 000019
【図１８】
2007136060.tif 000020
【図１９】
2007136060.tif 000021
【図２０】
2007136060.tif 000022
【図２１】
2007136060.tif 000023
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
映像信号のＲＧＢについて輝度を複数段階の階調によって表現するディスプレイ装置において、前記映像信号の色温度を補正する色温度補正装置であって、
映像信号の入力階調値について、色温度を一定に保つために、ＲＧＢそれぞれの設定階調値への階調値変換テーブルを記憶する記録手段と、
前記階調値変換テーブルに基づいて、前記入力階調値から設定階調値に変換する階調値変換部と
を備えることを特徴とする色温度補正装置。
【請求項２】
前記階調値変換テーブルは、
映像信号の入力階調値について、色温度を一定に保つためのＲＧＢそれぞれの輝度理想値との関係を示す第１階調値変換テーブルと、
前記輝度理想値が得られる設定階調値との関係を示す第２階調値変換テーブルと
を含むことを特徴とする請求項１に記載の色温度補正装置。
【請求項３】
前記階調値変換テーブルは、駆動モードごとの入力階調値から設定階調値への対応を備え、
前記階調値変換部は、前記階調値変換テーブルに基づいて、選択された駆動モードに応じて、前記入力階調値から設定階調値に変換することを特徴とする請求項１に記載の色温度補正装置。
【請求項４】
ガンマ補正された映像信号に対して逆ガンマ補正を行う逆ガンマ補正手段と、
前記逆ガンマ補正された映像信号の色温度を補正する、請求項１に記載の色温度補正装置と、
前記色温度補正された映像信号の平均輝度を検出する平均輝度検出手段と、
検出された平均輝度に基づいて駆動モードを選択し乗算係数を出力する駆動モード選択手段と、
出力された乗算係数を前記色温度補正された映像信号の設定階調値に乗算して、前記駆動モードによる輝度差を補正した設定階調値を出力する乗算器と、
前記設定階調値と設定された駆動モードとに基づいてサブフィールド条件を設定するサブフィールド変換手段と、
ディスプレイパネルと、
設定されたサブフィールド条件に基づいて前記ディスプレイパネルの走査・維持・消去を制御する走査・維持・消去駆動回路と、
前記ディスプレイパネルのデータ駆動回路と
を備えることを特徴とするディスプレイ装置。
【請求項５】
ガンマ補正された映像信号に対して逆ガンマ補正を行う逆ガンマ補正手段と、
前記逆ガンマ補正された映像信号の平均輝度を検出する平均輝度検出手段と、
検出された平均輝度に基づいて駆動モードを選択し乗算係数を出力する駆動モード選択手段と、
前記選択された駆動モードに基づいて、前記映像信号の色温度を補正する、請求項３に記載の色温度補正装置と、
出力された乗算係数を前記色温度補正された映像信号の設定階調値に乗算して前記駆動モードによる輝度差を補正した設定階調値を出力する乗算器と、
前記設定階調値と設定された駆動モードとに基づいてサブフィールド条件を設定するサブフィールド変換手段と、
ディスプレイパネルと、
設定されたサブフィールド条件に基づいて前記ディスプレイパネルの走査・維持・消去を制御する走査・維持・消去駆動回路と、
前記ディスプレイパネルのデータ駆動回路と
を備えることを特徴とするディスプレイ装置。
【請求項６】
映像信号のＲＧＢについて輝度を複数段階の階調によって表現するディスプレイ装置において、前記映像信号の色温度を補正する色温度補正装置であって、
映像信号の入力階調値に、選択された駆動モードの駆動倍数を乗算して入力発光パルス数を出力する乗算器と、
前記入力発光パルス数について、色温度を一定に保つように、白色となるＲＧＢそれぞれの設定発光パルス数への発光パルス数変換テーブルを記録する記憶手段と、
前記発光パルス数変換テーブルに基づいて、前記映像信号の入力発光パルス数からＲＧＢそれぞれの設定発光パルス数に変換する発光パルス数変換部と、
前記設定発光パルス数を、前記駆動倍数で除算して設定階調値を出力する除算器と
を備えたことを特徴とする色温度補正装置。
【請求項７】
前記発光パルス数変換テーブルは、
映像信号の入力発光パルス数について、色温度を一定に保つように、白色となるＲＧＢそれぞれの輝度理想値との関係を示す第１発光パルス数変換テーブルと、
前記輝度理想値が得られる設定発光パルス数との関係を示す第２発光パルス数変換テーブルと
を含むことを特徴とする請求項６に記載の色温度補正装置。
【請求項８】
ガンマ補正された映像信号に対して逆ガンマ補正を行う逆ガンマ補正手段と、
前記逆ガンマ補正された映像信号の平均輝度を検出する平均輝度検出手段と、
検出された平均輝度に基づいて駆動モードを選択し乗算係数を出力する駆動モード選択手段と、
出力された乗算係数を前記映像信号の入力階調値に乗算して前記駆動モードによる輝度差を補正した入力階調値を出力する乗算器と、
前記入力階調値に前記駆動モードの駆動倍数を乗算して入力発光パルス数を算出し、前記入力発光パルス数について、色温度を一定に保つように、設定発光パルス数に変換して色温度補正し、前記設定発光パルス数を前記駆動倍数で除算して設定階調値を出力する、請求項６に記載の色温度補正装置と、
前記設定階調値と設定された駆動モードとに基づいてサブフィールド条件を設定するサブフィールド変換手段と、
ディスプレイパネルと、
設定されたサブフィールド条件に基づいて前記ディスプレイパネルの走査・維持・消去を制御する走査・維持・消去駆動回路と、
前記ディスプレイパネルのデータ駆動回路と
を備えることを特徴とするディスプレイ装置。
【手続補正２】
【補正対象書類名】明細書
【補正対象項目名】全文
【補正方法】変更
【補正の内容】
【発明の詳細な説明】
【技術分野】
【０００１】
本発明は、ディスプレイパネルの色温度補正を行う色温度補正装置及び該色温度補正装置を備えたディスプレイ装置に関する。
【背景技術】
【０００２】
薄型化・大型化が可能なプラズマディスプレイパネル（ＰＤＰ）を用いたプラズマディスプレイパネル装置が広く知られている。このプラズマディスプレイパネル装置では、画素を構成する放電セルからの発光を利用することにより画像を表示している。さらに詳細に説明すると、放電セルを構成する電極間に駆動回路によって高電圧の駆動パルスを印加して、放電セルを発光させ、各画素の発光によって画像を表示している。
【０００３】
ここで、輝度の高い画像を表示する場合には、プラズマディスプレイパネル装置では、走査駆動回路及び維持駆動回路によりスキャン電極、維持電極に多数の維持パルスが印加され、ＰＤＰの充放電回数が増加するため、走査駆動回路及び維持駆動回路の消費電力が増大する。
【０００４】
これに対して、プラズマディスプレイパネルの消費電力に基づいて、サブフィールド内の維持電圧を出力する維持期間に含まれる維持パルス数の重み付け倍数Ｎ（駆動倍数）を小さくすることにより、消費電力の増大を抑制している（例えば、特許文献１参照。）。
【０００５】
【特許文献１】特許第２９９４６３０号
【発明の開示】
【発明が解決しようとする課題】
【０００６】
しかし、映像信号のＲＧＢそれぞれについて、入力階調値によって実際に得られる輝度測定値は、入力階調値で目標とする輝度理想値とは異なっており、その結果、映像信号によって本来表現するべき色温度が異なってしまう場合がある。
【０００７】
そこで、本発明の目的は、映像信号の入力階調値に対して実際に得られる輝度測定値が輝度理想値から外れることによって生じる色温度の変化を補正する色温度補正装置及び該色温度補正装置を備えたディスプレイ装置を提供することである。
【課題を解決するための手段】
【０００８】
本発明に係る色温度補正装置は、映像信号のＲＧＢについて輝度を複数段階の階調によって表現するディスプレイ装置において、前記映像信号の色温度を補正する色温度補正装置であって、
映像信号の入力階調値について、色温度を一定に保つために、ＲＧＢそれぞれの設定階調値への階調値変換テーブルを記憶する記録手段と、
前記階調値変換テーブルに基づいて、前記入力階調値から設定階調値に変換する階調値変換部と
を備えることを特徴とする。
【０００９】
また、前記階調値変換テーブルは、
映像信号の入力階調値について、色温度を一定に保つためのＲＧＢそれぞれの輝度理想値との関係を示す第１階調値変換テーブルと、
前記輝度理想値が得られる設定階調値との関係を示す第２階調値変換テーブルと
を含んでもよい。
【００１０】
さらに、前記階調値変換テーブルは、駆動モードごとの入力階調値から設定階調値への対応を備えてもよい。この場合には、前記階調値変換部は、前記階調値変換テーブルに基づいて、選択された駆動モードに応じて、前記入力階調値から設定階調値に変換することができる。
【００１１】
本発明に係るディスプレイ装置は、ガンマ補正された映像信号に対して逆ガンマ補正を行う逆ガンマ補正手段と、
前記逆ガンマ補正された映像信号の色温度を補正する、上記色温度補正装置と、
前記色温度補正された映像信号の平均輝度を検出する平均輝度検出手段と、
検出された平均輝度に基づいて駆動モードを選択し乗算係数を出力する駆動モード選択手段と、
出力された乗算係数を前記色温度補正された映像信号の設定階調値に乗算して前記駆動モードによる輝度差を補正した設定階調値を出力する乗算器と、
前記設定階調値と設定された駆動モードとに基づいてサブフィールド条件を設定するサブフィールド変換手段と、
ディスプレイパネルと、
設定されたサブフィールド条件に基づいて前記ディスプレイパネルの走査・維持・消去を制御する走査・維持・消去駆動回路と、
前記ディスプレイパネルのデータ駆動回路と
を備えることを特徴とする。
【００１２】
また、本発明に係るディスプレイ装置は、ガンマ補正された映像信号に対して逆ガンマ補正を行う逆ガンマ補正手段と、
前記逆ガンマ補正された映像信号の平均輝度を検出する平均輝度検出手段と、
検出された平均輝度に基づいて駆動モードを選択し乗算係数を出力する駆動モード選択手段と、
前記選択された駆動モードに基づいて、前記映像信号の色温度を補正する、上記色温度補正装置と、
出力された乗算係数を前記色温度補正された映像信号の設定階調値に乗算して前記駆動モードによる輝度差を補正した設定階調値を出力する乗算器と、
前記設定階調値と設定された駆動モードとに基づいてサブフィールド条件を設定するサブフィールド変換手段と、
ディスプレイパネルと、
設定されたサブフィールド条件に基づいて前記ディスプレイパネルの走査・維持・消去を制御する走査・維持・消去駆動回路と、
前記ディスプレイパネルのデータ駆動回路と
を備えることを特徴とする。
【００１３】
さらに、本発明に係る色温度補正手段は、映像信号のＲＧＢについて輝度を複数段階の階調によって表現するディスプレイ装置において、前記映像信号の色温度を補正する色温度補正装置であって、
映像信号の入力階調値に、選択された駆動モードの駆動倍数を乗算して入力発光パルス数を出力する乗算器と、
前記入力発光パルス数について、色温度を一定に保つように、白色となるＲＧＢそれぞれの設定発光パルス数への発光パルス数変換テーブルを記録する記憶手段と、
前記発光パルス数変換テーブルに基づいて、前記映像信号の入力発光パルス数からＲＧＢそれぞれの設定発光パルス数に変換する発光パルス数変換部と、
前記設定発光パルス数を、前記駆動倍数で除算して設定階調値を出力する除算器と
を備えたことを特徴とする。
【００１４】
また、前記発光パルス数変換テーブルは、
映像信号の入力発光パルス数について、色温度を一定に保つように、白色となるＲＧＢそれぞれの輝度理想値との関係を示す第１発光パルス数変換テーブルと、
前記輝度理想値が得られる設定発光パルス数との関係を示す第２発光パルス数変換テーブルと
を含んでもよい。
【００１５】
本発明に係るディスプレイ装置は、ガンマ補正された映像信号に対して逆ガンマ補正を行う逆ガンマ補正手段と、
前記逆ガンマ補正された映像信号の平均輝度を検出する平均輝度検出手段と、
検出された平均輝度に基づいて駆動モードを選択し乗算係数を出力する駆動モード選択手段と、
出力された乗算係数を前記映像信号の入力階調値に乗算して前記駆動モードによる輝度差を補正した入力階調値を出力する乗算器と、
前記入力階調値に前記駆動モードの駆動倍数を乗算して入力発光パルス数を算出し、前記入力発光パルス数について、色温度を一定に保つように、設定発光パルス数に変換して色温度補正し、前記設定発光パルス数を前記駆動倍数で除算して設定階調値を出力する、上記色温度補正装置と、
前記設定階調値と設定された駆動モードとに基づいてサブフィールド条件を設定するサブフィールド変換手段と、
ディスプレイパネルと、
設定されたサブフィールド条件に基づいて前記ディスプレイパネルの走査・維持・消去を制御する走査・維持・消去駆動回路と、
前記ディスプレイパネルのデータ駆動回路と
を備えることを特徴とする。
【発明の効果】
【００１６】
本発明に係る色温度補正装置によれば、入力階調値について、色温度を一定に保つように映像信号の色温度補正をすることができる。
【発明を実施するための最良の形態】
【００１７】
本発明の実施の形態に係る色温度補正装置及び該色温度補正装置を備えたプラズマディスプレイ装置について、添付図面を用いて詳細に説明する。なお、図面において実質的に同一の部材には同一の符号を付している。
【００１８】
（実施の形態１）
本発明の実施の形態１に係る色温度補正装置１０について、図１のブロック図を用いて説明する。この色温度補正装置１０は、映像信号の入力階調値について、色温度を一定に保つために、白色となるＲＧＢそれぞれの設定階調値への階調値変換テーブル６を記憶する記録手段４と、上記階調値変換テーブル６に基づいて、入力階調値から設定階調値に変換する階調値変換部２とを備える。この色温度補正装置１０によれば、ディスプレイ装置の特性に応じてあらかじめ用意された階調値変換テーブル６を用いて入力階調値を設定階調値に変換することによって色温度を一定に保つことができる。
【００１９】
この色温度補正装置１０によって行う色温度補正方法について、図２及び図３と、図４のフローチャートとを用いて説明する。
ａ）映像信号の入力階調値を受け付ける（Ｓ０１）。
ｂ）図２に示すように、映像信号の入力階調値について、あらかじめ色温度を一定に保つように、白色となるＲＧＢのそれぞれの輝度理想値が設定されている。この入力階調値に対する輝度理想値の関係が第１階調値変換テーブル（図２：一点鎖線）として表される。そこで、この第１階調値変換テーブルに基づいて、入力階調値に対して、白色となるＲＧＢのそれぞれの輝度理想値を求める（Ｓ０２）。例えば、図２の場合、入力階調値２３０の映像信号が入力された場合、赤色（Ｒ）の輝度理想値は１０５である（図２：手順（ｉ））。なお、緑色（Ｇ）及び青色（Ｂ）についてもそれぞれ同様に輝度理想値が得られるが、その詳細については省略する。
ｃ）次に、図２に示すように、階調値に対して、実際に得られる輝度測定値との関係は、第２階調値変換テーブル（図２：実線）によって表される。そこで、この第２階調値変換テーブルに基づいて、ＲＧＢのそれぞれの輝度理想値が得られる設定階調値を求める（Ｓ０３）。また、図２の場合には、輝度理想値１０５を出力するため、設定階調値２２０が得られる（図２：手順（ｉｉ））。なお、緑色（Ｇ）及び青色（Ｂ）についてもそれぞれ同様に設定階調値が得られるが、その詳細については省略する。
以上によって、入力階調値について、色温度を一定に保つように、白色となるＲＧＢのそれぞれの設定階調値が得られる。上記の例では、入力階調値２３０は設定階調値２２０に変換される。なお、入力階調値について、色温度を一定に保つような白色となるＲＧＢのそれぞれの設定階調値の関係は、図３に示すように階調値変換テーブルとして表される。この階調値変換テーブル（図３）は、上記第１階調値変換テーブル（図２：一点鎖線）と第２階調値変換テーブル（図２：実線）とを組み合わせたものとして表すことができる。
【００２０】
本発明の実施の形態１に係るプラズマディスプレイ装置３０の構成について、図５を用いて説明する。このプラズマディスプレイ装置３０は、ガンマ補正された映像信号に対して逆ガンマ補正を行う逆ガンマ補正手段１２と、逆ガンマ補正手段で逆ガンマ補正された映像信号の入力階調値について、色温度を一定に保つように、白色となるＲＧＢそれぞれの設定階調値に変換して色温度補正する色温度補正装置１０と、色温度補正がなされた映像信号の平均輝度を検出する平均輝度検出手段１４と、検出された平均輝度から駆動モード（駆動倍数）を選択し、駆動モードに応じて乗算係数を出力する駆動モード選択手段１６と、出力された乗算係数を色温度補正がなされた映像信号に乗算して駆動モードによる輝度差を補正した階調値を出力する乗算器１８と、設定された駆動モードの情報に基づいてサブフィールドの設定（駆動倍数、サブフィールド数等）を行うサブフィールド変換手段２２と、映像を表示するためのプラズマディスプレイパネル（ＰＤＰ）２４と、サブフィールドに関する設定値に基づいて、走査、維持、消去の制御を行う走査・維持・消去駆動回路２６と、データ駆動回路２８と、により構成されている。このプラズマディスプレイ装置３０は、上述の色温度補正装置１０を有することを特徴とする。このプラズマディスプレイ装置３０は、色温度補正装置１０を備えているので、色温度を一定に保つように色温度補正を行うことができる。
【００２１】
（実施の形態２）
本発明の実施の形態２に係る色温度補正装置１０ａについて、図６のブロック図を用いて説明する。実施の形態２に係る色温度補正装置１０ａは、実施の形態１に係る色温度補正装置と比較すると、複数の駆動モードごとの階調値変換テーブル６ａ、６ｂ、・・・６ｆを有する点で相違する。このように駆動モードごとに複数の階調値変換テーブル６ａ、６ｂ、・・・６ｆを有するので、選択した駆動モードに対応する階調値変換テーブルに基づいて適切に入力階調値から設定階調値への変換を行うことができる。
【００２２】
次に、この色温度補正装置１０ａの特徴について図７を用いて説明する。図７は、緑色（Ｇ）について、駆動モード１倍〜６倍のそれぞれにおける階調値と輝度測定値との関係を示す図である。上述の実施の形態１に係る色温度補正装置においては、入力階調値について特定の駆動モードについての１つの階調値変換テーブルのみを有している。しかし、現在のプラズマディスプレイパネルでは、平均輝度に応じて様々な駆動モード（駆動倍数）が用いられている。例えば、１倍から６倍までの整数倍の場合、あるいは、０．９倍、１．１倍、１．３倍等の小数点以下を含む駆動倍数の駆動モードが用いられる。この場合、図７に示すように、駆動モードが変わると、同じ入力階調値に対して輝度理想値は異なっており、しかもその輝度理想値の変化は駆動モードの倍数に比例しているわけではない。そのため、特定の駆動モードについて色温度補正を行ったとしても、その後、特定の駆動モードとは異なる駆動モードが設定された場合には色温度が変化してしまう。そのため、色温度補正のためには、選択された駆動モードに応じた入力階調値から設定階調値への変換を行うことが必要になる。この場合、入力階調値−設定階調値の階調値変換テーブルは、駆動モードごとにそれぞれ異なっており、それぞれの階調値変換テーブルは、駆動モードの倍数について比例しているわけではない。そこで、この実施の形態２に係る色温度補正装置１０ａでは、駆動モードごとに複数の階調値変換テーブル６ａ、６ｂ、・・・６ｆを有する。これによって、選択した駆動モードに対応する階調値変換テーブルに基づいて適切に入力階調値から設定階調値への変換を行うことができる。
【００２３】
この色温度補正装置１０ａによって行う色温度補正方法について、図８のフローチャートを用いて説明する。
ａ）映像信号の入力階調値と、選択された駆動モードとを受け付ける（Ｓ１１）。
ｂ）駆動モードごとに、映像信号の入力階調値について、あらかじめ色温度を一定に保つように、白色となるＲＧＢのそれぞれの輝度理想値が設定されている。この入力階調値に対する輝度理想値の関係が第１階調値変換テーブルとして表される。そこで、選択された駆動モードに対応する第１階調値変換テーブルに基づいて、入力階調値に対して、白色となるＲＧＢのそれぞれの輝度理想値を求める（Ｓ１２）。
ｃ）次に、駆動モードごとに、階調値に対する輝度測定値との関係を示す第２階調値変換テーブルによって表される。そこで、選択された駆動モードに対応する第２階調値変換テーブルに基づいて、ＲＧＢのそれぞれの輝度理想値が得られる設定階調値を求める（Ｓ１３）。
以上によって、選択された駆動モードに基づいて、入力階調値について、色温度を一定に保つように、白色となるＲＧＢのそれぞれの設定階調値が得られる。
【００２４】
本発明の実施の形態２に係るプラズマディスプレイ装置３０ａの構成について、図９を用いて説明する。このプラズマディスプレイ装置３０ａは、実施の形態１に係るプラズマディスプレイ装置と比較すると、色温度補正装置３０ａへの入力前に平均輝度検出手段１４で映像信号の平均輝度を検出し、平均輝度に基づいて駆動モード選択手段１６で駆動モードを選択し、色温度補正装置１０ａが駆動モード選択手段１６で選択された駆動モードの入力を受け付ける点で相違する。このプラズマディスプレイ装置３０ａによれば、選択した駆動モードに対応する階調値変換テーブルに基づいて入力階調値から設定階調値に変換できるので、様々な駆動モードが選択された場合であっても色温度を一定に保つことができる。
【００２５】
（実施の形態３）
本発明の実施の形態３に係る色温度補正装置４０は、実施の形態１及び２に係る色温度補正装置と比較すると、映像信号の入力階調値ではなく、選択された駆動モードの駆動倍数を入力階調値に乗算して得られる入力発光パルス数について、色温度を一定に保つように、設定発光パルス数に変換する点で相違する。この色温度補正装置４０は、図１０に示すように、映像信号の入力階調値に、選択された駆動モードの駆動倍数を乗算して入力発光パルス数を出力する乗算器３８と、入力発光パルス数について、色温度を一定に保つように、設定発光パルス数に変換する発光パルス数変換部３２と、入力発光パルス数について、色温度を一定に保つための白色となるＲＧＢそれぞれの設定発光パルス数との関係を示す発光パルス数変換テーブル３６を記録する記憶部３４と、設定発光パルス数を上記駆動倍数で除算して設定階調値を出力する除算器３９とを備える。この色温度補正装置によれば、入力階調値そのものではなく、この入力階調値に駆動倍数を乗算して得られた入力発光パルス数について、入力発光パルス数から設定発光パルス数への単一の変換テーブルを用いて、色温度を一定に保つように入力発光パルス数から設定発光パルス数への変換を行う。そのため、駆動モードの違いによる影響を受けることなく色温度補正を行うことができる。そこで、駆動モードごとの変換テーブルを必要とせず、記憶手段３４における記憶容量を増やすことなく、全ての駆動パターンに応じた色温度補正を行うことができる。
【００２６】
この色温度補正装置４０では、階調値ではなく発光パルス数について色温度補正を行うことを特徴とする。以下に、発光パルス数について色温度補正することの効果について図１１から図１７を用いて説明する。図１１から図１６は、駆動モード１倍から駆動モード６倍のそれぞれぞれの場合について、発光パルス数と輝度測定値との関係を示す図である。発光パルス数は、映像信号の階調値をどれだけの数の発光パルスによって表現するかを示す発光パルスの数を表すものであって、階調値に駆動モードの駆動倍数を乗算して算出される。図１１から図１６に示されるように、駆動倍数が増えるにつれて発光パルス数は増加し、それに伴って輝度測定値も高くなることがわかる。図１７は、駆動モード１倍から駆動モード６倍までの全ての駆動モードについて、発光パルス数と輝度測定値との関係を重ねて示したものである。図１７に示されるように、発光パルス数と輝度測定値との関係は、駆動モードによらずほぼ同一の曲線上にのることがわかる。したがって、発光パルス数について色温度を一定に保つように変換すれば、選択された駆動モードによる影響を受けないで色温度補正を行うことができる。
【００２７】
この色温度補正装置４０によって行う色温度補正方法について、図１８及び図１９と、図２０のフローチャートを用いて説明する。
ａ）映像信号の入力階調値を受け付ける（Ｓ２１）。
ｂ）乗算器３８によって、選択された駆動モードの駆動倍数を入力階調値に乗算して入力発光パルス数を出力する（Ｓ２２）。
ｃ）図１８に示すように、映像信号の入力発光パルス数について、あらかじめ色温度を一定に保つために、白色となるＲＧＢのそれぞれの輝度理想値が設定されている。この入力階調値に対する輝度理想値の関係が図１８では第１発光パルス数変換テーブル（図１８：一点鎖線）として表される。そこで、この第１発光パルス数変換テーブルに基づいて、入力発光パルス数に対して、白色となるＲＧＢのそれぞれの輝度理想値を求める（Ｓ２３）。例えば、図１８の場合には、入力発光パルス数１３７０について、赤色（Ｒ）の輝度理想値は１８０となる（図１８：手順（ａ））。なお、緑色（Ｇ）及び青色（Ｂ）についてもそれぞれ同様に輝度理想値が得られるが、その詳細については省略する。
ｄ）また、発光パルス数に対して、実際に得られる輝度測定値との関係は、第２発光パルス数変換テーブル（図１８：実線）によって表される。そこで、この第２発光パルス数変換テーブルに基づいて、ＲＧＢのそれぞれの輝度理想値が得られる設定発光パルス数を求める（Ｓ２４）。例えば、図１８の場合には、輝度理想値１８０を出力する赤色（Ｒ）の発光パルス数として、設定発光パルス数１２７５が得られる（図１８：手順（ｂ））。なお、緑色（Ｇ）及び青色（Ｂ）についてもそれぞれ同様に設定発光パルス数が得られるが、その詳細については省略する。
ｅ）除算器３９によって、設定発光パルス数を上記駆動倍数で除算して設定階調値を出力する（Ｓ２５）。
以上のようにして、映像信号の入力発光パルス数について、色温度を一定に保つように白色となるＲＧＢのそれぞれについて設定発光パルス数に変換することができる。上記の例では、入力発光パルス数１３７０は設定発光パルス数１２７５に変換される。なお、入力発光パルス数について、色温度を一定に保つような白色となるＲＧＢのそれぞれの設定階調値の関係は、図１９に示すように発光パルス数変換テーブルとして表される。この発光パルス数変換テーブルは、上記第１発光パルス数変換テーブルと第２発光パルス数変換テーブルとを組み合わせたものとして表すことができる。
【００２８】
本発明の実施の形態３に係るプラズマディスプレイパネル装置５０について、図２１のブロック図を用いて説明する。実施の形態３に係るプラズマディスプレイパネル装置５０は、実施の形態１及び実施の形態２に係るディスプレイ装置と比較すると、乗算器１８による駆動モードに応じた輝度差の補正後の出力を受けるように上記色温度補正装置４０が接続されている点で相違する。また、この上記色温度補正装置４０では、階調値ではなく発光パルス数について色温度補正を行う点で相違する。そのため、選択された駆動モードによらず色温度を一定に保つように色温度補正を行うことができる。また、駆動モードごとの変換テーブルを用意する必要がないので、色温度補正装置４０内の記憶手段３４における記憶容量を増やすことなく、全ての駆動パターンに応じた色温度補正を行うことができる。
【産業上の利用可能性】
【００２９】
本発明に係る色温度補正装置及びディスプレイ装置は、特にプラズマディスプレイ装置に利用可能である。
【図面の簡単な説明】
【００３０】
【図１】本発明の実施の形態１に係る色温度補正装置の構成を示すブロック図である。
【図２】本発明の実施の形態１に係る色温度補正方法における階調値変換の方法について説明する概略図である。
【図３】入力階調値と設定階調値の変換テーブルを示す図である。
【図４】本発明の実施の形態１に係る色温度補正方法のフローチャートである。
【図５】本発明の実施の形態１に係るプラズマディスプレイ装置の構成を示すブロック図である。
【図６】本発明の実施の形態２に係る色温度補正装置の構成を示すブロック図である。
【図７】緑色（Ｇ）について、駆動モード（１倍〜６倍）ごとの階調値と輝度測定値との関係を示す図である。
【図８】本発明の実施の形態２に係る色温度補正方法のフローチャートである。
【図９】本発明の実施の形態２に係るプラズマディスプレイ装置の構成を示すブロック図である。
【図１０】本発明の実施の形態３に係る色温度補正装置の構成を示すブロック図である。
【図１１】駆動モード１倍の場合の発光パルス数と輝度測定値との関係を示す図である。
【図１２】駆動モード２倍の場合の発光パルス数と輝度測定値との関係を示す図である。
【図１３】駆動モード３倍の場合の発光パルス数と輝度測定値との関係を示す図である。
【図１４】駆動モード４倍の場合の発光パルス数と輝度測定値との関係を示す図である。
【図１５】駆動モード５倍の場合の発光パルス数と輝度測定値との関係を示す図である。
【図１６】駆動モード６倍の場合の発光パルス数と輝度測定値との関係を示す図である。
【図１７】本発明の実施の形態３に係る色温度補正装置における全ての駆動モードについての発光パルス数と輝度測定値との関係を示す図である。
【図１８】本発明の実施の形態３に係る色温度補正装置における発光パルス数変換の方法について説明する図である。
【図１９】入力発光パルス数と設定発光パルス数の変換テーブルを示す図である。
【図２０】本発明の実施の形態３に係る色温度補正方法のフローチャートである。
【図２１】本発明の実施の形態３に係るプラズマディスプレイ装置の構成を示すブロック図である。
【符号の説明】
【００３１】
２  階調値変換部
４  記憶手段
６、６ａ、６ｂ、６ｆ  階調値変換テーブル
１０、１０ａ、４０  色温度補正装置
１２  逆ガンマ補正手段、
１４  平均輝度検出手段、
１６  駆動モード選択手段、
１８  乗算器、
２２  サブフィールド変換手段、
２４  プラズマディスプレイパネル、
２６  走査・維持・消去駆動回路、
２８  データ駆動回路
３０、３０ａ、５０  プラズマディスプレイ装置
３２  発光パルス数変換手段
３４  記憶手段
３６  発光パルス数変換テーブル
３８  乗算器
３９  除算器
【手続補正３】
【補正対象書類名】図面
【補正対象項目名】全図
【補正方法】変更
【補正の内容】
【図１】
2007136060.tif 000024
【図２】
2007136060.tif 000025
【図３】
2007136060.tif 000026
【図４】
2007136060.tif 000027
【図５】
2007136060.tif 000028
【図６】
2007136060.tif 000029
【図７】
2007136060.tif 000030
【図８】
2007136060.tif 000031
【図９】
2007136060.tif 000032
【図１０】
2007136060.tif 000033
【図１１】
2007136060.tif 000034
【図１２】
2007136060.tif 000035
【図１３】
2007136060.tif 000036
【図１４】
2007136060.tif 000037
【図１５】
2007136060.tif 000038
【図１６】
2007136060.tif 000039
【図１７】
2007136060.tif 000040
【図１８】
2007136060.tif 000041
【図１９】
2007136060.tif 000042
【図２０】
2007136060.tif 000043
【図２１】
2007136060.tif 000044
【国際調査報告】
2007136060.tif 000045
2007136060.tif 000046
2007136060.tif 000047
2007136060.tif 000048
2007136060.tif 000049
2007136060.tif 000050